(57)【要約】【課題】ＩＰ電話網において事業所集団電話サービスを提供することが可能なＩＰ電話網における通信システムを提供する。【解決手段】ＩＰ電話網１における通信システムにおいて、ＩＰ変換装置２０は、事業所集団電話サービスに加入していると判定された電話端末１０から出力されたダイヤル数字を受信するダイヤル受信部２３と、ダイヤル数字と、電話端末１０に固有の番号と、をＳＩＰ信号に編集して加入者サーバ３０へ送信するＳＩＰ編集部２４と、を備え、加入者サーバ３０は、事業所集団電話サービスに加入している電話端末１０からの呼であると判定された場合にアプリケーションサーバ４０へＳＩＰ信号を送信する呼判定部３２を備え、アプリケーションサーバ４０は、ダイヤル数字に関連付けられた電話端末１０に固有の番号を含むようにＳＩＰ信号を変換して加入者サーバ３０を介してＩＰ変換装置２０へ送信する接続制御部４２を備える。【選択図】図２
2011182204.tif 000002
【特許請求の範囲】
【請求項１】
複数の電話端末と、当該複数の電話端末と通信可能に接続されたＩＰ変換装置と、前記ＩＰ変換装置と通信可能に接続された加入者サーバと、前記加入者サーバと通信可能に接続されたアプリケーションサーバと、を備えるＩＰ電話網における通信システムであって、
前記ＩＰ変換装置は、
前記電話端末が事業所集団電話サービスに加入しているか否かが記憶されるサービス加入記憶部と、
前記複数の電話端末における発側の電話端末から送信されたオフフック信号を取得した場合に、前記サービス加入記憶部を参照して当該発側の電話端末が前記事業所集団電話サービスに加入しているか否かを判定するフッキング制御部と、
加入していると判定された前記発側の電話端末から出力されたダイヤル数字を受信するダイヤル受信部と、
前記ダイヤル受信部によって受信された前記ダイヤル数字と、前記発側の電話端末に固有の番号と、をＳＩＰ信号に編集して前記加入者サーバへ送信するＳＩＰ編集部と、
を備え、
前記加入者サーバは、
前記事業者集団電話サービスに加入している前記電話端末に固有の番号が記憶される電話端末番号記憶部と、
前記ＳＩＰ信号に含まれる前記電話端末に固有の番号に基づいて前記電話端末番号記憶部を参照し、前記事業所集団電話サービスに加入している電話端末からの呼であるか否かを判定し、前記事業所集団電話サービスに加入している電話端末からの呼であると判定された場合に前記アプリケーションサーバへ前記ＳＩＰ信号を送信する呼判定部と、
を備え、
前記アプリケーションサーバは、
前記ダイヤル数字と前記電話端末に固有の番号とが関連付けて記憶される記憶部と、
前記ＳＩＰ信号に含まれる前記ダイヤル数字に基づいて前記記憶部を参照して、前記ダイヤル数字に関連付けられた前記電話端末に固有の番号を含むように前記ＳＩＰ信号を変換し、変換済みＳＩＰ信号を前記加入者サーバを介して前記ＩＰ変換装置へ送信する接続制御部と、
を備え、
前記ＩＰ変換装置は、さらに、
前記加入者サーバから受信した前記変換済みＳＩＰ信号に基づいて、前記複数の電話端末における着側の電話端末の収容位置を抽出する収容位置抽出部と、
前記変換済みＳＩＰ信号に基づいて、前記着側の電話端末が前記事業所集団電話サービスを用いて呼び出されたか否かを判定し、前記事業所集団電話サービスを用いて呼び出された場合に、抽出された前記収容位置に基づいて、前記着側の電話端末を呼び出す決定部と、
を備えることを特徴とするＩＰ電話網における通信システム。
【請求項２】
複数の電話端末と、当該複数の電話端末と通信可能に接続されたＩＰ変換装置と、前記ＩＰ変換装置と通信可能に接続された加入者サーバと、を備えるＩＰ電話網における通信システムであって、
前記ＩＰ変換装置は、
前記電話端末が事業所集団電話サービスに加入しているか否かが記憶されるサービス加入記憶部と、
前記複数の電話端末における発側の電話端末から送信されたオフフック信号を取得した場合に、前記サービス加入記憶部を参照して当該発側の電話端末が前記事業所集団電話サービスに加入しているか否かを判定するフッキング制御部と、
加入していると判定された前記発側の電話端末から出力されたダイヤル数字を受信するダイヤル受信部と、
前記ダイヤル受信部によって受信された前記ダイヤル数字と、前記発側の電話端末に固有の番号と、をＳＩＰ信号に編集して前記加入者サーバへ送信するＳＩＰ編集部と、
を備え、
前記加入者サーバは、
前記事業者集団電話サービスに加入している前記電話端末に固有の番号が記憶される電話端末番号記憶部と、
前記ＳＩＰ信号に含まれる前記電話端末に固有の番号に基づいて前記電話端末番号記憶部を参照し、前記事業所集団電話サービスに加入している電話端末からの呼であるか否かを判定する呼判定部と、
前記ダイヤル数字と前記電話端末に固有の番号とが関連付けて記憶される記憶部と、
前記事業所集団電話サービスに加入している電話端末からの呼であると判定された場合に、前記ＳＩＰ信号に含まれる前記ダイヤル数字に基づいて前記記憶部を参照して、前記ダイヤル数字に関連付けられた前記電話端末に固有の番号を含むように前記ＳＩＰ信号を変換し、変換済みＳＩＰ信号を前記ＩＰ変換装置へ送信する接続制御部と、
を備え、
前記ＩＰ変換装置は、さらに、
前記加入者サーバから受信した前記変換済みＳＩＰ信号に基づいて、前記複数の電話端末における着側の電話端末の収容位置を抽出する収容位置抽出部と、
前記変換済みＳＩＰ信号に基づいて、前記着側の電話端末が前記事業所集団電話サービスを用いて呼び出されたか否かを判定し、前記事業所集団電話サービスを用いて呼び出された場合に、抽出された前記収容位置に基づいて、前記着側の電話端末を呼び出す決定部と、
を備えることを特徴とするＩＰ電話網における通信システム。
【請求項３】
前記フッキング制御部は、抽出された前記収容位置の前記着側の電話端末以外の電話端末から送信されたオフフック信号を取得した場合に、前記サービス加入記憶部を参照して当該電話端末が前記事業所集団電話サービスに加入しているか否かを判定し、
前記ダイヤル受信部は、加入していると判定された前記電話端末から出力されたダイヤル数字を受信し、
前記ＳＩＰ編集部は、前記ダイヤル受信部によって受信された前記ダイヤル数字と、当該電話端末に固有の発信者番号と、をＳＩＰ信号に編集して前記呼判定部を介して前記接続制御部へ送信し、
前記接続制御部は、受信した前記ＳＩＰ信号に基づいて、前記着側の電話端末に代えて、前記オフフック信号を送信した電話端末を着側として指定し、その旨を前記呼判定部を介して前記決定部へ送信する
ことを特徴とする請求項１又は請求項２に記載のＩＰ電話網における通信システム。
【請求項４】
前記フッキング制御部は、通話中の電話端末から送信されたフッキング信号を取得した場合に、前記サービス加入記憶部を参照して前記フッキング信号を送信した電話端末が前記事業所集団電話サービスに加入しているか否かを判定し、
前記ダイヤル受信部は、加入していると判定された前記フッキング信号を送信した電話端末から送信された内線番号を取得し、
前記ＳＩＰ編集部は、前記ダイヤル受信部によって受信された前記内線番号と、前記フッキング信号を送信した電話端末に固有の番号と、をＳＩＰ信号に編集して前記接続制御部へ送信し、
前記接続制御部は、受信した前記ＳＩＰ信号に基づいて、前記フッキング信号を送信した電話端末に代えて、前記内線番号に対応する電話端末を転送先として指定し、その旨を前記呼判定部を介して前記決定部へ送信する
ことを特徴とする請求項１又は請求項２に記載のＩＰ電話網における通信システム。
【請求項５】
複数の電話端末と、当該複数の電話端末と通信可能に接続されたＩＰ変換装置と、前記ＩＰ変換装置と通信可能に接続された加入者サーバと、前記加入者サーバと通信可能に接続されたアプリケーションサーバと、を備えるＩＰ電話網における通信方法であって、
前記ＩＰ変換装置が、前記複数の電話端末における発側の電話端末から送信されたオフフック信号を取得した場合に、前記電話端末が事業所集団電話サービスに加入しているか否かが記憶されるサービス加入記憶部を参照して当該発側の電話端末が前記事業所集団電話サービスに加入しているか否かを判定するステップと、
前記ＩＰ変換装置が、加入していると判定された前記発側の電話端末から出力されたダイヤル数字を受信するステップと、
前記ＩＰ変換装置が、前記ダイヤル受信部によって受信された前記ダイヤル数字と、前記発側の電話端末に固有の番号と、をＳＩＰ信号に編集して前記加入者サーバへ送信するステップと、
前記加入者サーバが、前記ＳＩＰ信号に含まれる前記電話端末に固有の番号に基づいて、前記事業者集団電話サービスに加入している前記電話端末に固有の番号が記憶される電話端末番号記憶部を参照し、前記事業所集団電話サービスに加入している電話端末からの呼であるか否かを判定し、前記事業所集団電話サービスに加入している電話端末からの呼であると判定された場合に前記アプリケーションサーバへ前記ＳＩＰ信号を送信するステップと、
前記アプリケーションサーバが、前記ＳＩＰ信号に含まれる前記ダイヤル数字に基づいて、前記ダイヤル数字と前記電話端末に固有の番号とが関連付けて記憶される記憶部を参照して、前記ダイヤル数字に関連付けられた前記電話端末に固有の番号を含むように前記ＳＩＰ信号を変換し、変換済みＳＩＰ信号を前記加入者サーバを介して前記ＩＰ変換装置へ送信するステップと、
前記ＩＰ変換装置が、前記加入者サーバから受信した前記変換済みＳＩＰ信号に基づいて、前記複数の電話端末における着側の電話端末の収容位置を抽出するステップと、
前記ＩＰ変換装置が、前記変換済みＳＩＰ信号に基づいて、前記着側の電話端末が前記事業所集団電話サービスを用いて呼び出されたか否かを判定し、前記事業所集団電話サービスを用いて呼び出された場合に、抽出された前記収容位置に基づいて、前記着側の電話端末を呼び出すステップと、
を含むことを特徴とするＩＰ電話網における通信方法。
【請求項６】
前記ＩＰ変換装置が、抽出された前記収容位置の前記着側の電話端末以外の電話端末から送信されたオフフック信号を取得した場合に、前記サービス加入記憶部を参照して当該電話端末が前記事業所集団電話サービスに加入しているか否かを判定するステップと、
前記ＩＰ変換装置が、加入していると判定された当該電話端末から出力されたダイヤル数字を受信するステップと、
前記ＩＰ変換装置が、前記ダイヤル受信部によって受信された前記ダイヤル数字と、当該電話端末に固有の発信者番号と、をＳＩＰ信号に編集して前記加入者サーバを介して前記アプリケーションサーバへ送信するステップと、
前記アプリケーションサーバが、受信した前記ＳＩＰ信号に基づいて、前記着側の電話端末に代えて、前記オフフック信号を送信した電話端末を着側として指定し、その旨を前記加入者サーバを介して前記ＩＰ変換装置へ送信するステップと、
をさらに含むことを特徴とする請求項５に記載のＩＰ電話網における通信方法。
【請求項７】
前記ＩＰ変換装置が、通話中の電話端末から送信されたフッキング信号を取得した場合に、前記サービス加入記憶部を参照して前記フッキング信号を送信した電話端末が前記事業所集団電話サービスに加入しているか否かを判定するステップと、
前記ＩＰ変換装置が、加入していると判定された前記フッキング信号を送信した電話端末から送信された内線番号を取得するステップと、
前記ＩＰ変換装置が、前記ダイヤル受信部によって受信された前記内線番号と、前記フッキング信号を送信した電話端末に固有の番号と、をＳＩＰ信号に編集して前記加入者サーバを介して前記アプリケーションサーバへ送信するステップと、
前記アプリケーションサーバが、受信した前記ＳＩＰ信号に基づいて、前記フッキング信号を送信した電話端末に代えて、前記内線番号に対応する電話端末を転送先として指定し、その旨を前記加入者サーバを介して前記ＩＰ変換装置へ送信するステップと、
をさらに含むことを特徴とする請求項５に記載のＩＰ電話網における通信方法。
【請求項８】
複数の電話端末と、当該複数の電話端末と通信可能に接続されたＩＰ変換装置と、前記ＩＰ変換装置と通信可能に接続された加入者サーバと、を備えるＩＰ電話網における通信方法であって、
前記ＩＰ変換装置が、前記複数の電話端末における発側の電話端末から送信されたオフフック信号を取得した場合に、前記電話端末が事業所集団電話サービスに加入しているか否かが記憶されるサービス加入記憶部を参照して当該発側の電話端末が前記事業所集団電話サービスに加入しているか否かを判定するステップと、
前記ＩＰ変換装置が、加入していると判定された前記発側の電話端末から出力されたダイヤル数字を受信するステップと、
前記ＩＰ変換装置が、前記ダイヤル受信部によって受信された前記ダイヤル数字と、前記発側の電話端末に固有の番号と、をＳＩＰ信号に編集して前記加入者サーバへ送信するステップと、
前記加入者サーバが、前記ＳＩＰ信号に含まれる前記電話端末に固有の番号に基づいて、前記事業者集団電話サービスに加入している前記電話端末に固有の番号が記憶される電話端末番号記憶部を参照し、前記事業所集団電話サービスに加入している電話端末からの呼であるか否かを判定するステップと、
前記事業所集団電話サービスに加入している電話端末からの呼であると判定された場合に、前記加入者サーバが、前記ＳＩＰ信号に含まれる前記ダイヤル数字に基づいて、前記ダイヤル数字と前記電話端末に固有の番号とが関連付けて記憶される記憶部を参照して、前記ダイヤル数字に関連付けられた前記電話端末に固有の番号を含むように前記ＳＩＰ信号を変換し、変換済みＳＩＰ信号を前記ＩＰ変換装置へ送信するステップと、
前記ＩＰ変換装置が、前記加入者サーバから受信した前記変換済みＳＩＰ信号に基づいて、前記複数の電話端末における着側の電話端末の収容位置を抽出するステップと、
前記ＩＰ変換装置が、前記変換済みＳＩＰ信号に基づいて、前記着側の電話端末が前記事業所集団電話サービスを用いて呼び出されたか否かを判定し、前記事業所集団電話サービスを用いて呼び出された場合に、抽出された前記収容位置に基づいて、前記着側の電話端末を呼び出すステップと、
を含むことを特徴とするＩＰ電話網における通信方法。
【請求項９】
前記ＩＰ変換装置が、抽出された前記収容位置の前記着側の電話端末以外の電話端末から送信されたオフフック信号を取得した場合に、前記サービス加入記憶部を参照して当該電話端末が前記事業所集団電話サービスに加入しているか否かを判定するステップと、
前記ＩＰ変換装置が、加入していると判定された当該電話端末から出力されたダイヤル数字を受信するステップと、
前記ＩＰ変換装置が、前記ダイヤル受信部によって受信された前記ダイヤル数字と、当該電話端末に固有の発信者番号と、をＳＩＰ信号に編集して前記加入者サーバへ送信するステップと、
前記加入者サーバが、受信した前記ＳＩＰ信号に基づいて、前記着側の電話端末に代えて、前記オフフック信号を送信した電話端末を着側として指定し、その旨を前記ＩＰ変換装置へ送信するステップと、
をさらに含むことを特徴とする請求項８に記載のＩＰ電話網における通信方法。
【請求項１０】
前記ＩＰ変換装置が、通話中の電話端末から送信されたフッキング信号を取得した場合に、前記サービス加入記憶部を参照して前記フッキング信号を送信した電話端末が前記事業所集団電話サービスに加入しているか否かを判定するステップと、
前記ＩＰ変換装置が、加入していると判定された前記フッキング信号を送信した電話端末から送信された内線番号を取得するステップと、
前記ＩＰ変換装置が、前記ダイヤル受信部によって受信された前記内線番号と、前記フッキング信号を送信した電話端末に固有の番号と、をＳＩＰ信号に編集して前記加入者サーバへ送信するステップと、
前記加入者サーバが、受信した前記ＳＩＰ信号に基づいて、前記フッキング信号を送信した電話端末に代えて、前記内線番号に対応する電話端末を転送先として指定し、その旨を前記ＩＰ変換装置へ送信するステップと、
をさらに含むことを特徴とする請求項８に記載のＩＰ電話網における通信方法。
【発明の詳細な説明】
【技術分野】
【０００１】
本発明は、ＩＰ電話網における通信システム及び通信方法に関し、より詳細には、事業所集団電話サービスが採用されたＩＰ電話網における通信システム及び通信方法に関する。
【背景技術】
【０００２】
事業所集団電話（ＣＥＳ）サービスは、一の事業所に設けられた複数の電話端末において、内線番号と呼ばれるＮ桁の番号をダイヤルすることにより、その複数の電話端末間での接続（内線通話）を可能とするサービスである。ＣＥＳサービスが採用された電話端末において、ＣＥＳサービス外の電話端末への接続（外線通話）は、「外線発信を示す特殊番号又は記号（以下、単に特殊記号と称する）」をダイヤルした後、通話先の電話番号をダイヤルすることによって行われる。
従来の回線交換電話網（ＰＳＴＮ）において、ＣＥＳフッキング制御、ＣＥＳダイヤル受信、ＣＥＳ接続判定、ＣＥＳ接続制御等のＣＥＳサービスの実現に必要な機能は、全て加入者交換機に配備されており、加入者交換機が単独で、ＣＥＳサービス加入電話端末からの外線発信、ＣＥＳサービス加入電話端末間での内線接続等のサービスを実現している（非特許文献１参照）。
【先行技術文献】
【非特許文献】
【０００３】
【非特許文献１】”ＩＰセントレックス”  ［on line］［平成２２年１月１５日検索］、インターネット＜URL:http://itpro.nikkeibp.co.jp/free/NCC/denwa/20050211/10/＞
【発明の概要】
【発明が解決しようとする課題】
【０００４】
前記したＣＥＳサービスは、ＰＳＴＮで提供されているサービスであり、ＩＰ電話網においても同様のサービスを提供することが望まれている。
【０００５】
本発明は、前記した事情に鑑みて創案されたものであり、ＩＰ電話網において事業所集団電話サービスを提供することが可能なＩＰ電話網における通信システム及び通信方法を提供することを課題とする。
【課題を解決するための手段】
【０００６】
前記課題を解決するため、本発明は、複数の電話端末と、当該複数の電話端末と通信可能に接続されたＩＰ変換装置と、前記ＩＰ変換装置と通信可能に接続された加入者サーバと、前記加入者サーバと通信可能に接続されたアプリケーションサーバと、を備えるＩＰ電話網における通信システムであって、前記ＩＰ変換装置は、前記電話端末が事業所集団電話サービスに加入しているか否かが記憶されるサービス加入記憶部と、前記複数の電話端末における発側の電話端末から送信されたオフフック信号を取得した場合に、前記サービス加入記憶部を参照して当該発側の電話端末が前記事業所集団電話サービスに加入しているか否かを判定するフッキング制御部と、加入していると判定された前記発側の電話端末から出力されたダイヤル数字を受信するダイヤル受信部と、前記ダイヤル受信部によって受信された前記ダイヤル数字と、前記発側の電話端末に固有の番号と、をＳＩＰ信号に編集して前記加入者サーバへ送信するＳＩＰ編集部と、を備え、前記加入者サーバは、前記事業者集団電話サービスに加入している前記電話端末に固有の番号が記憶される電話端末番号記憶部と、前記ＳＩＰ信号に含まれる前記電話端末に固有の番号に基づいて前記電話端末番号記憶部を参照し、前記事業所集団電話サービスに加入している電話端末からの呼であるか否かを判定し、前記事業所集団電話サービスに加入している電話端末からの呼であると判定された場合に前記アプリケーションサーバへ前記ＳＩＰ信号を送信する呼判定部と、を備え、前記アプリケーションサーバは、前記ダイヤル数字と前記電話端末に固有の番号とが関連付けて記憶される記憶部と、前記ＳＩＰ信号に含まれる前記ダイヤル数字に基づいて前記記憶部を参照して、前記ダイヤル数字に関連付けられた前記電話端末に固有の番号を含むように前記ＳＩＰ信号を変換し、変換済みＳＩＰ信号を前記加入者サーバを介して前記ＩＰ変換装置へ送信する接続制御部と、を備え、前記ＩＰ変換装置は、さらに、前記加入者サーバから受信した前記変換済みＳＩＰ信号に基づいて、前記複数の電話端末における着側の電話端末の収容位置を抽出する収容位置抽出部と、前記変換済みＳＩＰ信号に基づいて、前記着側の電話端末が前記事業所集団電話サービスを用いて呼び出されたか否かを判定し、前記事業所集団電話サービスを用いて呼び出された場合に、抽出された前記収容位置に基づいて、前記着側の電話端末を呼び出す決定部と、を備えることを特徴とする。
【０００７】
また、本発明は、複数の電話端末と、当該複数の電話端末と通信可能に接続されたＩＰ変換装置と、前記ＩＰ変換装置と通信可能に接続された加入者サーバと、を備えるＩＰ電話網における通信システムであって、前記ＩＰ変換装置は、前記電話端末が事業所集団電話サービスに加入しているか否かが記憶されるサービス加入記憶部と、前記複数の電話端末における発側の電話端末から送信されたオフフック信号を取得した場合に、前記サービス加入記憶部を参照して当該発側の電話端末が前記事業所集団電話サービスに加入しているか否かを判定するフッキング制御部と、加入していると判定された前記発側の電話端末から出力されたダイヤル数字を受信するダイヤル受信部と、前記ダイヤル受信部によって受信された前記ダイヤル数字と、前記発側の電話端末に固有の番号と、をＳＩＰ信号に編集して前記加入者サーバへ送信するＳＩＰ編集部と、を備え、前記加入者サーバは、前記事業者集団電話サービスに加入している前記電話端末に固有の番号が記憶される電話端末番号記憶部と、前記ＳＩＰ信号に含まれる前記電話端末に固有の番号に基づいて前記電話端末番号記憶部を参照し、前記事業所集団電話サービスに加入している電話端末からの呼であるか否かを判定する呼判定部と、前記ダイヤル数字と前記電話端末に固有の番号とが関連付けて記憶される記憶部と、前記事業所集団電話サービスに加入している電話端末からの呼であると判定された場合に、前記ＳＩＰ信号に含まれる前記ダイヤル数字に基づいて前記記憶部を参照して、前記ダイヤル数字に関連付けられた前記電話端末に固有の番号を含むように前記ＳＩＰ信号を変換し、変換済みＳＩＰ信号を前記ＩＰ変換装置へ送信する接続制御部と、を備え、前記ＩＰ変換装置は、さらに、前記加入者サーバから受信した前記変換済みＳＩＰ信号に基づいて、前記複数の電話端末における着側の電話端末の収容位置を抽出する収容位置抽出部と、前記変換済みＳＩＰ信号に基づいて、前記着側の電話端末が前記事業所集団電話サービスを用いて呼び出されたか否かを判定し、前記事業所集団電話サービスを用いて呼び出された場合に、抽出された前記収容位置に基づいて、前記着側の電話端末を呼び出す決定部と、を備えることを特徴とする。
【０００８】
前記フッキング制御部は、抽出された前記収容位置の前記着側の電話端末以外の電話端末から送信されたオフフック信号を取得した場合に、前記サービス加入記憶部を参照して当該電話端末が前記事業所集団電話サービスに加入しているか否かを判定し、前記ダイヤル受信部は、加入していると判定された前記電話端末から出力されたダイヤル数字を受信し、前記ＳＩＰ編集部は、前記ダイヤル受信部によって受信された前記ダイヤル数字と、当該電話端末に固有の発信者番号と、をＳＩＰ信号に編集して前記呼判定部を介して前記接続制御部へ送信し、前記接続制御部は、受信した前記ＳＩＰ信号に基づいて、前記着側の電話端末に代えて、前記オフフック信号を送信した電話端末を着側として指定し、その旨を前記呼判定部を介して前記決定部へ送信する構成であってもよい。
【０００９】
また、前記フッキング制御部は、通話中の電話端末から送信されたフッキング信号を取得した場合に、前記サービス加入記憶部を参照して前記フッキング信号を送信した電話端末が前記事業所集団電話サービスに加入しているか否かを判定し、前記ダイヤル受信部は、加入していると判定された前記フッキング信号を送信した電話端末から送信された内線番号を取得し、前記ＳＩＰ編集部は、前記ダイヤル受信部によって受信された前記内線番号と、前記フッキング信号を送信した電話端末に固有の番号と、をＳＩＰ信号に編集して前記接続制御部へ送信し、前記接続制御部は、受信した前記ＳＩＰ信号に基づいて、前記フッキング信号を送信した電話端末に代えて、前記内線番号に対応する電話端末を転送先として指定し、その旨を前記呼判定部を介して前記決定部へ送信する構成であってもよい。
【００１０】
また、本発明は、複数の電話端末と、当該複数の電話端末と通信可能に接続されたＩＰ変換装置と、前記ＩＰ変換装置と通信可能に接続された加入者サーバと、前記加入者サーバと通信可能に接続されたアプリケーションサーバと、を備えるＩＰ電話網における通信方法であって、前記ＩＰ変換装置が、前記複数の電話端末における発側の電話端末から送信されたオフフック信号を取得した場合に、前記電話端末が事業所集団電話サービスに加入しているか否かが記憶されるサービス加入記憶部を参照して当該発側の電話端末が前記事業所集団電話サービスに加入しているか否かを判定するステップと、前記ＩＰ変換装置が、加入していると判定された前記発側の電話端末から出力されたダイヤル数字を受信するステップと、前記ＩＰ変換装置が、前記ダイヤル受信部によって受信された前記ダイヤル数字と、前記発側の電話端末に固有の番号と、をＳＩＰ信号に編集して前記加入者サーバへ送信するステップと、前記加入者サーバが、前記ＳＩＰ信号に含まれる前記電話端末に固有の番号に基づいて、前記事業者集団電話サービスに加入している前記電話端末に固有の番号が記憶される電話端末番号記憶部を参照し、前記事業所集団電話サービスに加入している電話端末からの呼であるか否かを判定し、前記事業所集団電話サービスに加入している電話端末からの呼であると判定された場合に前記アプリケーションサーバへ前記ＳＩＰ信号を送信するステップと、前記アプリケーションサーバが、前記ＳＩＰ信号に含まれる前記ダイヤル数字に基づいて、前記ダイヤル数字と前記電話端末に固有の番号とが関連付けて記憶される記憶部を参照して、前記ダイヤル数字に関連付けられた前記電話端末に固有の番号を含むように前記ＳＩＰ信号を変換し、変換済みＳＩＰ信号を前記加入者サーバを介して前記ＩＰ変換装置へ送信するステップと、前記ＩＰ変換装置が、前記加入者サーバから受信した前記変換済みＳＩＰ信号に基づいて、前記複数の電話端末における着側の電話端末の収容位置を抽出するステップと、前記ＩＰ変換装置が、前記変換済みＳＩＰ信号に基づいて、前記着側の電話端末が前記事業所集団電話サービスを用いて呼び出されたか否かを判定し、前記事業所集団電話サービスを用いて呼び出された場合に、抽出された前記収容位置に基づいて、前記着側の電話端末を呼び出すステップと、を含むことを特徴とする。
【００１１】
前記ＩＰ変換装置が、抽出された前記収容位置の前記着側の電話端末以外の電話端末から送信されたオフフック信号を取得した場合に、前記サービス加入記憶部を参照して当該電話端末が前記事業所集団電話サービスに加入しているか否かを判定するステップと、前記ＩＰ変換装置が、加入していると判定された当該電話端末から出力されたダイヤル数字を受信するステップと、前記ＩＰ変換装置が、前記ダイヤル受信部によって受信された前記ダイヤル数字と、当該電話端末に固有の発信者番号と、をＳＩＰ信号に編集して前記加入者サーバを介して前記アプリケーションサーバへ送信するステップと、前記アプリケーションサーバが、受信した前記ＳＩＰ信号に基づいて、前記着側の電話端末に代えて、前記オフフック信号を送信した電話端末を着側として指定し、その旨を前記加入者サーバを介して前記ＩＰ変換装置へ送信するステップと、をさらに含み構成であってもよい。
【００１２】
また、前記ＩＰ変換装置が、通話中の電話端末から送信されたフッキング信号を取得した場合に、前記サービス加入記憶部を参照して前記フッキング信号を送信した電話端末が前記事業所集団電話サービスに加入しているか否かを判定するステップと、前記ＩＰ変換装置が、加入していると判定された前記フッキング信号を送信した電話端末から送信された内線番号を取得するステップと、前記ＩＰ変換装置が、前記ダイヤル受信部によって受信された前記内線番号と、前記フッキング信号を送信した電話端末に固有の番号と、をＳＩＰ信号に編集して前記加入者サーバを介して前記アプリケーションサーバへ送信するステップと、前記アプリケーションサーバが、受信した前記ＳＩＰ信号に基づいて、前記フッキング信号を送信した電話端末に代えて、前記内線番号に対応する電話端末を転送先として指定し、その旨を前記加入者サーバを介して前記ＩＰ変換装置へ送信するステップと、をさらに含む構成であってもよい。
【００１３】
また、本発明は、複数の電話端末と、当該複数の電話端末と通信可能に接続されたＩＰ変換装置と、前記ＩＰ変換装置と通信可能に接続された加入者サーバと、を備えるＩＰ電話網における通信方法であって、前記ＩＰ変換装置が、前記複数の電話端末における発側の電話端末から送信されたオフフック信号を取得した場合に、前記電話端末が事業所集団電話サービスに加入しているか否かが記憶されるサービス加入記憶部を参照して当該発側の電話端末が前記事業所集団電話サービスに加入しているか否かを判定するステップと、前記ＩＰ変換装置が、加入していると判定された前記発側の電話端末から出力されたダイヤル数字を受信するステップと、前記ＩＰ変換装置が、前記ダイヤル受信部によって受信された前記ダイヤル数字と、前記発側の電話端末に固有の番号と、をＳＩＰ信号に編集して前記加入者サーバへ送信するステップと、前記加入者サーバが、前記ＳＩＰ信号に含まれる前記電話端末に固有の番号に基づいて、前記事業者集団電話サービスに加入している前記電話端末に固有の番号が記憶される電話端末番号記憶部を参照し、前記事業所集団電話サービスに加入している電話端末からの呼であるか否かを判定するステップと、前記事業所集団電話サービスに加入している電話端末からの呼であると判定された場合に、前記加入者サーバが、前記ＳＩＰ信号に含まれる前記ダイヤル数字に基づいて、前記ダイヤル数字と前記電話端末に固有の番号とが関連付けて記憶される記憶部を参照して、前記ダイヤル数字に関連付けられた前記電話端末に固有の番号を含むように前記ＳＩＰ信号を変換し、変換済みＳＩＰ信号を前記ＩＰ変換装置へ送信するステップと、前記ＩＰ変換装置が、前記加入者サーバから受信した前記変換済みＳＩＰ信号に基づいて、前記複数の電話端末における着側の電話端末の収容位置を抽出するステップと、前記ＩＰ変換装置が、前記変換済みＳＩＰ信号に基づいて、前記着側の電話端末が前記事業所集団電話サービスを用いて呼び出されたか否かを判定し、前記事業所集団電話サービスを用いて呼び出された場合に、抽出された前記収容位置に基づいて、前記着側の電話端末を呼び出すステップと、を含むことを特徴とする。
【００１４】
前記ＩＰ変換装置が、抽出された前記収容位置の前記着側の電話端末以外の電話端末から送信されたオフフック信号を取得した場合に、前記サービス加入記憶部を参照して当該電話端末が前記事業所集団電話サービスに加入しているか否かを判定するステップと、前記ＩＰ変換装置が、加入していると判定された当該電話端末から出力されたダイヤル数字を受信するステップと、前記ＩＰ変換装置が、前記ダイヤル受信部によって受信された前記ダイヤル数字と、当該電話端末に固有の発信者番号と、をＳＩＰ信号に編集して前記加入者サーバへ送信するステップと、前記加入者サーバが、受信した前記ＳＩＰ信号に基づいて、前記着側の電話端末に代えて、前記オフフック信号を送信した電話端末を着側として指定し、その旨を前記ＩＰ変換装置へ送信するステップと、をさらに含む構成であってもよい。
【００１５】
また、前記ＩＰ変換装置が、通話中の電話端末から送信されたフッキング信号を取得した場合に、前記サービス加入記憶部を参照して前記フッキング信号を送信した電話端末が前記事業所集団電話サービスに加入しているか否かを判定するステップと、前記ＩＰ変換装置が、加入していると判定された前記フッキング信号を送信した電話端末から送信された内線番号を取得するステップと、前記ＩＰ変換装置が、前記ダイヤル受信部によって受信された前記内線番号と、前記フッキング信号を送信した電話端末に固有の番号と、をＳＩＰ信号に編集して前記加入者サーバへ送信するステップと、前記加入者サーバが、受信した前記ＳＩＰ信号に基づいて、前記フッキング信号を送信した電話端末に代えて、前記内線番号に対応する電話端末を転送先として指定し、その旨を前記ＩＰ変換装置へ送信するステップと、をさらに含む構成であってもよい。
【発明の効果】
【００１６】
本発明によれば、ＩＰ電話網において事業所集団電話サービスを提供することができる。
【図面の簡単な説明】
【００１７】
【図１】本発明の第一の実施形態に係るＩＰ電話網を模式的に示す図である。
【図２】本発明の第一の実施形態に係るＩＰ変換装置、加入者サーバ及びアプリケーションサーバを示すブロック図である。
【図３】本発明の第一の実施形態に係るＩＰ電話網の動作例を説明するためのフローチャートである。
【図４】本発明の第一の実施形態に係るＩＰ電話網の動作例を説明するためのフローチャートである。
【図５】本発明の第一の実施形態に係るＩＰ電話網の動作例を説明するためのフローチャートである。
【図６】本発明の第一の実施形態に係るＩＰ電話網の動作例を説明するためのフローチャートである。
【図７】本発明の第一の実施形態に係るＩＰ電話網の動作例を説明するためのフローチャートである。
【図８】本発明の第一の実施形態に係るＩＰ電話網の動作例を説明するためのフローチャートである。
【図９】本発明の第二の実施形態に係るＩＰ変換装置及び加入者サーバを示すブロック図である。
【発明を実施するための形態】
【００１８】
以下、本発明の実施形態について、適宜図面を参照しながら説明する。同様の部分には同一符号を付し、重複する説明を省略する。
【００１９】
＜第一の実施形態＞
まず、本発明の第一の実施形態に係るＩＰ電話網について、図１及び図２を参照して説明する。図１は、本発明の第一の実施形態に係るＩＰ電話網を模式的に示す図である。図２は、本発明の第一の実施形態に係るＩＰ変換装置及び加入者サーバを示すブロック図である。
【００２０】
＜ＩＰ電話網＞
図１に示すように、本発明の第一の実施形態に係るＩＰ電話網１は、複数の電話端末１０−１，１０−２と、各電話端末１０−１，１０−２と通信可能に接続されたＩＰ変換装置２０と、ＩＰ変換装置２０と通信可能に接続された加入者サーバ３０と、加入者サーバ３０と通信可能に接続されたアプリケーションサーバ４０と、を備える。
【００２１】
≪電話端末≫
電話端末１０（１０−１，１０−２）は、事業所等に設置される据置型の電話機等であり、着呼音等を発するためのスピーカ、電話番号等を表示するためのディスプレイ、受話器が架けられるフック、及び電話番号等を入力するためのボタンを有する本体部と、通話用のマイク及びスピーカを有する受話器と、を備える。ユーザが電話端末１０の受話器をフックから上げると、電話端末１０は、オフフック信号をＩＰ変換装置２０へ送信する。また、ユーザが電話端末１０の受話器を一定時間（例えば、０．３〜１．０秒）だけフック上に置いてフックから上げると、電話端末１０は、フッキング信号をＩＰ変換装置２０へ送信する。
【００２２】
≪ＩＰ変換装置≫
ＩＰ変換装置２０は、アナログ端末又はＩＳＤＮ端末である電話端末から送信された音声信号等をＩＰパケット化し、ＩＰパケット化済み信号を通話先の電話端末に接続されたＩＰ変換装置へ送信したり、通話先の電話端末に接続されたＩＰ変換装置から送信されたＩＰパケット化済み信号を受信し、受信されたＩＰパケット化済み信号を復号して電話端末１０へ送信したりする装置である。
【００２３】
図２に示すように、ＩＰ変換装置２０は、機能部として、記憶部２１と、フッキング制御部２２と、ダイヤル受信部２３と、ＳＩＰ編集部２４と、収容位置抽出部２５と、決定部２６と、を備える。
【００２４】
記憶部２１は、電話端末１０が事業所集団電話サービスに加入しているか否かが記憶されるサービス加入ＤＢ（Data Base）２１ａと、ＰＤＴ（Primary Dial Tone）音源２１ｂと、ＤＴ（Dial Tone）音源２１ｃと、ダイヤル数字の受信桁数を決定するための情報である発信プリトラ２１ｄと、ＳＩＲ音源２１ｅと、ＩＲ音源２１ｆと、ＳＤＴ（Second Dial Tone）音源２１ｇと、ＣＥＳメロディ音源２１ｈと、ＲＢＴ（Ring Back Tone）音源２１ｉと、を備える。
【００２５】
フッキング制御部２２は、電話端末１０から送信されたオフフック信号及びフッキング信号のいずれかを受信した場合に、サービス加入ＤＢ２１ａを参照して、記憶部２１内の音源のいずれかに記憶された信号を電話端末１０へ送信する。
本実施形態において、フッキング制御部２２は、電話端末１０から送信されたオフフック信号を受信した場合に、サービス加入ＤＢ２１ａを参照して電話端末１０が事業所集団電話サービスに加入しているか否かを判定し、加入していると判定された場合に当該電話端末１０に対してＰＤＴ音源２１ｂに記憶されたＰＤＴを送信し、加入していないと判定された場合に当該電話端末１０に対してＤＴ音源２１ｃに記憶されたＤＴを送信する。
ＰＤＴを取得した電話端末１０は、ＰＤＴ音を発音し、ＤＴを取得した電話端末１０は、ＤＴ音を発音する。
【００２６】
ダイヤル受信部２３は、電話端末１０から送信されたダイヤル数字を受信するとともに、発信プリトラ２１ｄに基づいてダイヤル数字の受信桁数を決定する。
【００２７】
ＳＩＰ編集部２４は、ダイヤル受信部２３によって受信されたダイヤル数字と、発側の電話端末に固有の番号と、をＳＩＰ信号に編集して加入者サーバ３０へ送信する。
【００２８】
収容位置抽出部２５及び決定部２６に関しては、後で説明する。
【００２９】
≪加入者サーバ≫
加入者サーバ３０は、機能部として、記憶部３１と、呼判定部３２と、を備える。
【００３０】
記憶部３１は、事業者集団電話サービスに加入している前記電話端末に固有の番号が記憶されるサービス加入ＤＢ（電話端末番号記憶部）３１ａを備える。
【００３１】
呼判定部３２は、ＳＩＰ信号に含まれる電話端末に固有の番号に基づいてサービス加入ＤＢ３１ａを参照し、事業所集団電話サービスに加入している電話端末からの呼であるか否かを判定し、事業所集団電話サービスに加入している電話端末からの呼であると判定された場合にアプリケーションサーバ４０へＳＩＰ信号を送信する。
【００３２】
≪アプリケーションサーバ≫
アプリケーションサーバ４０は、機能部として、記憶部４１と、接続制御部４２と、を備える。
【００３３】
記憶部４１は、ダイヤル数字と電話端末に固有の番号とが関連付けて記憶されるとともに、当該電話端末に固有の番号と、事業所集団電話サービスのサービス内容（例えば、外線直接発信を規制するか否か）とが関連付けて記憶されるサービス内容ＤＢ４１ａを備える。
【００３４】
接続制御部４２は、ＳＩＰ信号に含まれるダイヤル数字に基づいてサービス内容ＤＢ４１ａを参照して、ダイヤル数字に関連付けられた電話端末に固有の番号を含むようにＳＩＰ信号を変換し、変換済みＳＩＰ信号を加入者サーバを介してＩＰ変換装置へ送信する。
【００３５】
≪ＩＰ変換装置≫
ここで、ＩＰ変換装置２０に関する説明に戻る。収容位置抽出部２５は、加入者サーバ３０から受信した変換済みＳＩＰ信号に基づいて、複数の電話端末１０−１，１０−２における着側の電話端末の収容位置を抽出する。
【００３６】
決定部２６は、変換済みＳＩＰ信号に基づいて、着側の電話端末が事業所集団電話サービスを用いて呼び出されたか否かを判定し、事業所集団電話サービスを用いて呼び出された場合に、抽出された収容位置に基づいて、着側の電話端末を呼び出す。
【００３７】
≪内線通話≫
続いて、ＩＰ通話網１における内線通話の例について、図３を参照して説明する。まず、電話端末１０−１のユーザが受話器を上げると、電話端末１０−１は、オフフック信号をＩＰ変換装置２０へ送信する（ステップＳ１）。
【００３８】
続いて、ＩＰ変換装置２０のフッキング制御部２２は、オフフック信号を受信し、サービス加入ＤＢ２１ａを参照して電話端末１０−１が事業所集団電話サービスに加入しているか否かを判定する（ＣＥＳ契約判定。ステップＳ２）。本実施形態では、フッキング制御部２２は、加入していると判定し、当該電話端末１０−１に対してＰＤＴ音源２１ｂに記憶されたＰＤＴを送信する（ステップＳ３）。例えば、フッキング制御部２２は、記憶部２１に記憶された、電話端末に固有の番号と収容位置（加入者が収容されている物理的な位置を指し示す番号）が関連付けられたＤＢ（図示せず）をオフフック信号を受信した収容位置に基づいて参照することによって、電話端末に固有の番号を抽出し、抽出された番号に基づいて、サービス加入ＤＢ２１ａを参照することができる。
【００３９】
続いて、電話端末１０−１のユーザがボタンを操作して電話端末１０−２の内線番号を入力すると、電話端末１０−１は、当該内線番号（ダイヤル信号）をＩＰ変換装置２０へ送信する（ステップＳ４）。
【００４０】
続いて、ＩＰ変換装置２０のダイヤル受信部２３がダイヤル信号を受信すると、ＩＰ変換装置２０のＳＩＰ編集部２４は、着番号に「内線番号」、発番号に「発信電話端末の電話番号」が設定されたＩＮＶＩＴＥ信号を生成し（ＳＩＰ編集。ステップＳ５）、加入者サーバ３０へ送信する（ステップＳ６）。例えば、ダイヤル受信部２３は、記憶部２１に記憶された、電話端末に固有の番号と収容位置（加入者が収容されている物理的な位置を指し示す番号）が関連付けられたＤＢ（図示せず）をダイヤル信号を受信した収容位置に基づいて参照することによって、電話端末に固有の番号を抽出し、抽出された番号に基づいて、ＳＩＰ信号としてのＩＮＶＩＴＥ信号を生成することができる。
【００４１】
続いて、加入者サーバ３０の呼判定部３２は、ＩＮＶＩＴＥ信号を受信すると、ＩＮＶＶＩＴＥ信号に含まれる発番号に基づいてサービス加入ＤＢ３１ａを参照し、サービスに加入している電話端末からの呼であるか否かを判定する（ＣＥＳ呼判定。ステップＳ７）。本実施形態では、呼判定部３２は、加入している電話端末からの呼であると判定し、ＩＮＶＩＴＥ信号をアプリケーションサーバ４０へ送信する（ステップＳ８）。
【００４２】
続いて、アプリケーションサーバ４０の接続制御部４２は、ＩＮＶＩＴＥ信号を受信すると、ＩＮＶＩＴＥ信号に含まれる着番号に基づいて、当該呼が内線発信であることを認識するとともに、サービス内容ＤＢ４１ａに記憶されている内線番号と電話番号との関係を参照して、内線番号に対応する電話端末の電話番号、及び、発信電話端末の電話番号に対応する内線番号」を抽出する。そして、接続制御部４２は、着番号に「内線番号に対応する電話番号」、発番号に「発信電話端末の電話番号に対応する内線番号」、内外表示に「内線」が設定されたＩＮＶＩＴＥ信号を生成し（ＣＥＳ接続制御。ステップＳ９）、加入者サーバ３０へ送信する（ステップＳ１０）。
【００４３】
続いて、加入者サーバ３０の呼判定部３２は、ＩＮＶＩＴＥ信号を受信すると、ＩＮＶＩＴＥ信号をＩＰ変換装置２０へ転送する（ステップＳ１１）。
【００４４】
続いて、ＩＰ変換装置２０の収容位置抽出部２５は、ＩＮＶＩＴＥ信号を受信すると、ＩＮＶＩＴＥ信号に含まれる着番号に基づいて電話端末１０−２の収容位置を抽出し（収容位置抽出。ステップＳ１２）、抽出された収容位置及びＩＮＶＩＴＥ信号を決定部２６へ出力する。例えば、収容位置抽出部２５は、公知のように、記憶部２１に記憶された、電話端末に固有の番号と収容位置（加入者が収容されている物理的な位置を指し示す番号）が関連付けられたＤＢ（図示せず）を着番号に基づいて参照することによって、収容位置を抽出することができる。
【００４５】
続いて、決定部２６は、収容位置及びＩＮＶＩＴＥ信号を受信すると、ＩＮＶＩＴＥ信号に含まれる内外表示に基づいて、ＳＩＲ及びＩＲのどちらを送信するかを決定する。本実施形態では、決定部は、ＳＩＲを送信すると決定し、電話端末１０−２へＳＩＲを送信する（ステップＳ１３）。
【００４６】
続いて、電話端末１０−２のユーザが受話器を上げると、電話端末１０−２は、オフフック信号をＩＰ変換装置２０へ送信する（ステップＳ１４）。これらの動作によって、電話端末１０−１と電話端末１０−２とが内線通話可能となる（通話中。ステップＳ１５）。
【００４７】
≪外線発信≫
続いて、ＩＰ通話網１における外線発信の例について、図４を参照して説明する。なお、この例において、ＳＩＰ信号（ＩＮＶＩＴＥ信号等）は、その信号において伝達すべきデータを含むことが可能なＩＰ上の信号に変更可能である。まず、電話端末１０−１のユーザが受話器を上げると、電話端末１０−１は、オフフック信号をＩＰ変換装置２０へ送信する（ステップＳ２１）。
【００４８】
続いて、ＩＰ変換装置２０のフッキング制御部２２は、オフフック信号を受信し、サービス加入ＤＢ２１ａを参照して電話端末１０−１が事業所集団電話サービスに加入しているか否かを判定する（ＣＥＳ契約判定。ステップＳ２２）。本実施形態では、フッキング制御部２２は、加入していると判定し、当該電話端末１０−１に対してＰＤＴ音源２１ｂに記憶されたＰＤＴを送信する（ステップＳ２３）。
【００４９】
続いて、電話端末１０−１のユーザがボタンを操作して、外線発信を示す特殊番号に続いて通話先の電話端末の電話番号を入力すると、電話端末１０−１は、当該電話番号（ダイヤル信号）をＩＰ変換装置２０へ送信する（ステップＳ２４）。
【００５０】
続いて、ＩＰ変換装置２０のダイヤル受信部２３がダイヤル信号を受信すると、ＩＰ変換装置２０のＳＩＰ編集部２４は、着番号に「特殊番号＋電話番号」、発番号に「発信電話端末の電話番号」が設定されたＩＮＶＩＴＥ信号を生成し（ＳＩＰ編集。ステップＳ２５）、加入者サーバ３０へ送信する（ステップＳ２６）。
【００５１】
続いて、加入者サーバ３０の呼判定部３２は、ＩＮＶＩＴＥ信号を受信すると、ＩＮＶＶＩＴＥ信号に含まれる発番号に基づいてサービス加入ＤＢ３１ａを参照し、サービスに加入している電話端末からの呼であるか否かを判定する（ＣＥＳ呼判定。ステップＳ２７）。本実施形態では、呼判定部３２は、加入している電話端末からの呼であると判定し、ＩＮＶＩＴＥ信号をアプリケーションサーバ４０へ送信する（ステップＳ２８）。
【００５２】
続いて、アプリケーションサーバ４０の接続制御部４２は、ＩＮＶＩＴＥ信号を受信すると、ＩＮＶＩＴＥ信号に含まれる着番号に基づいて、当該呼が外線発信であることを認識するとともに、着番号に「電話番号」、発番号に「発信電話端末の電話番号」が設定されたＩＮＶＩＴＥ信号を生成し（ＣＥＳ接続制御。ステップＳ２９）、加入者サーバ３０へ送信する（ステップＳ３０）。
【００５３】
続いて、加入者サーバ３０の呼判定部３２は、ＩＮＶＩＴＥ信号を受信すると、ＩＮＶＩＴＥ信号を中継サーバ５０へ転送する（ステップＳ３１）。
【００５４】
≪外線着信≫
続いて、ＩＰ通話網１における外線発信の例について、図５を参照して説明する。なお、この例において、ＳＩＰ信号（ＩＮＶＩＴＥ信号等）は、その信号において伝達すべきデータを含むことが可能なＩＰ上の信号に変更可能である。まず、加入者サーバ３０の呼判定部３２は、中継サーバ５０から転送されたＩＮＶＩＴＥ信号を受信すると（ステップＳ４１）、ＩＮＶＶＩＴＥ信号に含まれる着番号に基づいてサービス加入ＤＢ３１ａを参照し、サービスに加入している電話端末への呼であるか否かを判定する（ＣＥＳ呼判定。ステップＳ４２）。本実施形態では、呼判定部３２は、加入している電話端末へ呼であると判定し、ＩＮＶＩＴＥ信号をアプリケーションサーバ４０へ転送する（ステップＳ４３）。
【００５５】
続いて、アプリケーションサーバ４０の接続制御部４２は、ＩＮＶＩＴＥ信号を受信すると、サービス内容ＤＢ４１ａに記憶された、外線着信を許容するか否か等のサービス条件にしたがい、次の動作（着信、切断等）を決定する。本実施形態では、接続制御部４２は、着番号に「電話番号」、発番号に「発信電話端末の電話番号」、内外表示に「外線発信」が設定されたＩＮＶＩＴＥ信号を生成し（ＣＥＳ接続制御。ステップＳ４４）、ＩＮＶＩＴＥ信号を加入者サーバ３０へ送信する（ステップＳ４５）。
【００５６】
続いて、加入者サーバ３０の呼判定部３２は、ＩＮＶＩＴＥ信号を受信すると、ＩＮＶＩＴＥ信号をＩＰ変換装置２０へ転送する（ステップＳ４６）。
【００５７】
続いて、ＩＰ変換装置２０の収容位置抽出部２５は、ＩＮＶＩＴＥ信号を受信すると、ＩＮＶＩＴＥ信号に含まれる着番号に基づいて電話端末１０−２の収容位置を抽出し（収容位置抽出。ステップＳ４７）、抽出された収容位置及びＩＮＶＩＴＥ信号を決定部２６へ出力する。
【００５８】
続いて、決定部２６は、収容位置及びＩＮＶＩＴＥ信号を受信すると、ＩＮＶＩＴＥ信号に含まれる内外表示に基づいて、ＳＩＲ及びＩＲのどちらを送信するかを決定する。本実施形態では、決定部２６は、ＩＲを送信すると決定し、電話端末１０−２へＩＲを送信する（ステップＳ４８）。
【００５９】
続いて、電話端末１０−２のユーザが受話器を上げると、電話端末１０−２は、オフフック信号をＩＰ変換装置２０へ送信する（ステップＳ４９）。これらの動作によって、電話端末１０−２と外線発信を行った電話端末１０−３とが外線通話可能となる（通話中。ステップＳ５０）。
【００６０】
≪コールピックアップ≫
続いて、ＩＰ通話網１におけるコールピックアップの例について、図６及び図７を参照して説明する。なお、コールピックアップとは、事業所集団サービスに加入している複数の電話端末１０−１，１０−２において、電話端末１０−２が他の電話端末１０−３からの呼び出しに応答しない場合に、電話端末１０−１が代理として応答するための機能である。
【００６１】
電話端末１０−３のユーザがボタンを操作して、通話先の電話端末（電話端末１０−２）の電話番号を入力すると、電話端末１０−３は、当該電話番号（ダイヤル信号）をＩＰ変換装置２０へ送信する（ステップＳ６１）。
【００６２】
続いて、ＩＰ変換装置２０のダイヤル受信部２３がダイヤル信号を受信すると、ＩＰ変換装置２３のＳＩＰ編集部２４は、着番号に「通話先の電話端末（電話端末１０−２）の電話番号」、発番号に「電話端末１０−３の電話番号」が設定されたＩＮＶＩＴＥ信号を生成し、加入者サーバ３０へ送信する（ステップＳ６２）。かかるＩＮＶＩＴＥ信号は、電話端末１０−１，１０−２側の加入者サーバ３０、アプリケーションサーバ４０及び加入者サーバ３０を順に介して電話端末１０−１，１０−２側のＩＰ変換装置２０へ転送される（ステップＳ６３〜Ｓ６６）。
【００６３】
続いて、ＩＰ変換装置２０の収容位置抽出部２５は、ＩＮＶＩＴＥ信号を受信すると、ＩＮＶＩＴＥ信号に含まれる着番号に基づいて電話端末１０−２の収容位置を抽出し、抽出された収容位置及びＩＮＶＩＴＥ信号を決定部２６へ出力する。
【００６４】
続いて、決定部２６は、収容位置及びＩＮＶＩＴＥ信号を受信すると、ＩＮＶＩＴＥ信号に含まれる内外表示に基づいて、ＳＩＲ及びＩＲのどちらを送信するかを決定する。本実施形態では、決定部は、ＩＲを送信すると決定し、電話端末１０−２へＩＲを送信する（ステップＳ６７）。また、ＩＰ決定部２６は、ＩＮＶＩＴＥ信号に対する応答信号を、加入者サーバ３０へ送信する（ステップＳ６８）。かかる応答信号は、ＩＮＶＩＴＥ信号に基づいて、電話端末１０−２，１０−３の電話番号を含むように生成された信号であり、アプリケーションサーバ４０、加入者サーバ３０及び電話端末１０−３側の加入者サーバ３０を順に介して電話端末１０−３側のＩＰ変換装置２０へ転送される（ステップＳ６８〜Ｓ７２）。ここで、ステップＳ７０〜Ｓ７２において転送される応答信号は、ＲＢＴを電話端末１０−３へ送信するための暫定的な応答信号である。続いて、ＩＰ変換装置２０の決定部２６は、応答信号を受信すると、ＲＢＴ音源２１ｉに記憶されたＲＢＴを電話端末１０−３へ送信する（ステップＳ７３）。
【００６５】
続いて、電話端末１０−１のユーザが受話器を上げると、電話端末１０−１は、オフフック信号をＩＰ変換装置２０へ送信する（ステップＳ７４）。
【００６６】
続いて、ＩＰ変換装置２０のフッキング制御部２２は、オフフック信号を受信し、サービス加入ＤＢ２１ａを参照して電話端末１０−１が事業所集団電話サービスに加入しているか否かを判定する（ＣＥＳ契約判定。ステップＳ７５）。本実施形態では、フッキング制御部２２は、加入していると判定し、当該電話端末１０−１に対してＰＤＴ音源２１ｂに記憶されたＰＤＴを送信する（ステップＳ７６）。
【００６７】
続いて、電話端末１０−１のユーザがボタンを操作して、特殊番号（着信内線番号無指定の場合は、１０１、着信内線番号指定の場合は、１０９＋内線番号）を入力すると、電話端末１０−１は、当該特殊番号（ダイヤル信号）をＩＰ変換装置２０へ送信する（ステップＳ７７）。
【００６８】
続いて、ＩＰ変換装置２０のダイヤル受信部２３がダイヤル信号を受信すると、ＩＰ変換装置２０のＳＩＰ編集部２４は、着番号に「特殊番号」、発番号に「発信電話端末の電話番号」が設定されたＩＮＶＩＴＥ信号を生成し、加入者サーバ３０へ送信する（ステップＳ７８）。
【００６９】
続いて、加入者サーバ３０の呼判定部３２は、ＩＮＶＩＴＥ信号を受信すると、ＩＮＶＶＩＴＥ信号に含まれる発番号に基づいてサービス加入ＤＢ３１ａを参照し、サービスに加入している電話端末からの呼であるか否かを判定する。本実施形態では、呼判定部３２は、加入している電話端末からの呼であると判定し、ＩＮＶＩＴＥ信号をアプリケーションサーバ４０へ転送する（ステップＳ７９）。
【００７０】
続いて、アプリケーションサーバ４０の接続制御部４２は、ＩＮＶＩＴＥ信号を受信すると、ＩＮＶＩＴＥ信号に含まれる着番号に基づいて、当該呼がコールピックアップであることを認識するとともに、ＩＮＶＩＴＥ信号に含まれる発番号に基づいて、コールピックアップの動作の許容判定を行い、動作許容と判定された場合には、呼出中である電話端末１０−２を特定し（ピックアップ特番認識、呼出中電話端末特定。ステップＳ８０）、電話端末１０−２とアプリケーションサーバ４０との間のセッションを開放するため、ステップＳ７９で転送されたＩＮＶＩＥ信号等に基づいて、電話端末１０−２の電話番号を含むように生成された信号であるＣＡＮＣＥＬ信号を加入者サーバ３０へ送信する（ステップＳ８１）。
【００７１】
続いて、加入者サーバ３０の呼判定部３２は、ＣＡＮＣＥＬ信号を受信すると、セッションを開放するとともに、ＣＡＮＣＥＬ信号をＩＰ変換装置２０へ転送する（ステップＳ８２）。
【００７２】
続いて、ＩＰ変換装置２０の収容位置抽出部２５は、ＣＡＮＣＥＬ信号を受信すると、決定部２６へ出力し、ＩＰ変換装置２０の決定部２６は、ＣＡＮＣＥＬ信号を取得すると、電話端末１０−２へのＩＲの送信を停止し、ＣＡＮＣＥＬ信号に対する応答信号を加入者サーバ３０へ送信する（ステップＳ８３）。かかる応答信号は、ＣＡＮＣＥＬ信号に基づいて、電話端末１０−２の電話番号を含むように生成された信号であり、アプリケーションサーバ４０へ転送される（ステップＳ８４）。
【００７３】
続いて、アプリケーションサーバ４０の接続制御部４２は、加入者サーバ３０へＵＰＤＡＴＥ信号を送信する（ステップＳ８５）。かかるＵＰＤＡＴＥ信号は、ステップＳ７８，Ｓ７９におけるＩＮＶＩＴＥ信号に対応して送信される信号であって、かかるＩＮＶＩＴＥ信号等に基づいて、電話端末１０−１，１０−３の電話番号を含む信号であり、電話端末１０−３側の加入者サーバ３０を介して電話端末１０−３側のＩＰ変換装置２０へ転送される（ステップＳ８６，Ｓ８７）。
【００７４】
続いて、ＩＰ変換装置２０のＳＩＰ編集部２４は、ＵＰＤＡＴＥ信号を受信すると、ＵＰＤＡＴＥ信号に対する応答信号を加入者サーバ３０へ送信する（ステップＳ８８）。かかる応答信号は、ＵＰＤＡＴＥ信号に基づいて、電話端末１０−１，１０−３の電話番号を含む信号であり、電話端末１０−１，１０−２側の加入者サーバ３０を介してアプリケーションサーバ４０へ送信される（ステップＳ８９，Ｓ９０）。
【００７５】
なお、ステップＳ８５〜Ｓ９０は、ステップＳ６８〜Ｓ７２における応答信号においてＳＤＰ（Session Description Protocol）が用いられていない場合には、省略可能である。
なお、本実施形態に係る通信システムは、発側（電話端末１０−３側）のＩＰ変換装置２０と着側（電話端末１０−１，１０−２側）のＩＰ変換装置２０との区間においてＳＩＰにより通話セッションを確立するが、セッション確立するためのネゴシエーションにおいて、各ＩＰ変換装置２０のＩＰ側のインターフェースに設定されるＩＰアドレス、ＵＤＰ（User Datagram Protocol）のポート番号等を互いにやり取りする必要があり、その時に使用されるプロトコルがＳＤＰである。かかるＳＤＰは、ＳＩＰ（Session Initiation Protocol）のペイロード部分に付加される。
【００７６】
続いて、アプリケーションサーバ４０の接続制御部４２は、ＩＮＶＩＴＥ信号を電話端末１０−１，１０−２側の加入者サーバ３０へ送信する（ステップＳ９１）。かかるＩＮＶＩＴＥ信号は、着番号に「通話先の電話端末（電話端末１０−１）の電話番号」、発番号に「電話端末１０−３の電話番号」が設定された信号であり、電話端末１０−１，１０−２側のＩＰ変換装置２０へ転送される（ステップＳ９２）。また、アプリケーションサーバ４０の接続制御部４２は、ステップＳ７８，Ｓ７８におけるＩＮＶＩＴＥ信号に対応する応答信号を電話端末１０−１，１０−２側の加入者サーバ３０へ送信する（ステップＳ９３）。かかる応答信号は、ステップＳ７９で転送されたＩＮＶＩＴＥ信号に基づいて、電話端末１０−１，１０−３の電話番号を含むように生成された信号であり、電話端末１０−３側の加入者サーバ３０を介して電話端末１０−３側のＩＰ変換装置２０へ転送される（ステップＳ９４，Ｓ９５）。
【００７７】
続いて、電話端末１０−３側のＩＰ変換装置２０の収容位置抽出部２５は、応答信号を受信すると、応答信号に含まれる電話番号に基づいて電話端末１０−３の収容位置を抽出し、抽出された収容位置及び応答信号を決定部２６へ出力し、ＩＰ変換装置２０の決定部２６は、応答信号を他の電話端末１０−３へ送信し（ステップＳ９６）、これらの動作によって、電話端末１０−２に代えて電話端末１０−１を着側の電話端末として指定し、電話端末１０−１と電話端末１０−３とが外線通話可能となる（通話中。ステップＳ９７）。
【００７８】
≪転送≫
続いて、ＩＰ通話網１における転送の例について、図８を参照して説明する。なお、この例において、ＳＩＰ信号（ＩＮＶＩＴＥ信号等）は、その信号において伝達すべきデータを含むことが可能なＩＰ上の信号に変更可能である。電話端末１０−１と電話端末１０−３とが外線通話可能な状態において（通話中。ステップＳ１０１）、電話端末１０−１のユーザが一定時間（例えば、０．３〜１．０秒）だけフック上に置いてフックから上げると、電話端末１０−１は、フッキング信号をＩＰ変換装置２０へ送信する（ステップＳ１０２）。
【００７９】
続いて、ＩＰ変換装置２０のフッキング制御部２２は、フッキング信号を受信し、サービス加入ＤＢ２１ａを参照して電話端末１０−１が事業所集団電話サービスに加入しているか否かを判定する。本実施形態では、フッキング制御部２２は、加入していると判定し、当該電話端末１０−１に対してＳＤＴ音源２１ｈに記憶されたＳＤＴを送信する（ステップＳ１０３）とともに、電話端末１０−３に対して、ＣＥＳメロディ音源２１ｇに記憶されたＣＥＳメロディを送信する（ステップＳ１０４）。例えば、フッキング制御部２２は、記憶部２１に記憶された、電話端末に固有の番号と収容位置（加入者が収容されている物理的な位置を指し示す番号）が関連付けられたＤＢ（図示せず）をフッキング信号を受信した収容位置に基づいて参照することによって、電話端末に固有の番号を抽出し、抽出された番号に基づいて、サービス加入ＤＢ２１ａを参照することができる。
【００８０】
続いて、電話端末１０−１のユーザがボタンを操作して、転送先の内線番号（例えば、電話端末１０−２の内線番号）を入力すると、電話端末１０−１は、当該内線番号（ダイヤル信号）をＩＰ変換装置２０へ送信する（ステップＳ７５）。
【００８１】
続いて、ＩＰ変換装置２０のダイヤル受信部２３がダイヤル信号を受信すると、ＩＰ変換装置２０のＳＩＰ編集部２４は、着番号に「転送先の内線番号」、発番号に「発信電話端末の電話番号」が設定されたＩＮＶＩＴＥ信号を生成し、加入者サーバ３０へ送信する（ステップＳ１０６）。このようにすることで、電話端末１０−２が転送先として指定されることとなる。
【００８２】
本発明の第一の実施形態に係るＩＰ電話網１における通信システム及び通信方法は、事業所集団電話サービスの機能を、ＩＰ電話網１におけるＩＰ変換装置２０、加入者サーバ３０及びアプリケーションサーバ４０に分担し、これらの装置間の動作シーケンスを定めたことによって、ＩＰ電話網１において事業所集団電話サービスを実現することができる。
また、本発明の第一の実施形態に係るＩＰ電話網１における通信システム及び通信方法は、ＩＰ電話網１における既存の装置、標準的なプロトコルを用いて事業所集団電話サービスを提供することができるので、加入者交換機の維持管理が必要なＰＳＴＮにおける事業所集団サービスの提供と比べて、効率的・経済的に事業所集団電話サービスを提供することができる。
【００８３】
＜第二の実施形態＞
続いて、本発明の第二の実施形態に係るＩＰ電話網について、図９を参照して、第一の実施形態に係るＩＰ電話網１との相違点を中心に説明する。図９に示すように、本発明の第二の実施形態に係るＩＰ電話網は、加入者サーバ３０及びアプリケーションサーバ４０に代えて、加入者サーバ１００を備える。かかる加入者サーバ１００は、第一の実施形態に係る加入者サーバ３０及びアプリケーションサーバ４０の機能を一体的に備えている。かかるＩＰ電話網においても、第一の実施形態に係るＩＰ電話網１と同様の動作を行い、同様の効果を奏することができる。
【符号の説明】
【００８４】
１      ＩＰ電話網
１０−１，１０−２  電話端末
２０    ＩＰ変換装置
３０，１００    加入者サーバ
４０    アプリケーションサーバ
【図１】
2011182204.tif 000003
【図２】
2011182204.tif 000004
【図３】
2011182204.tif 000005
【図４】
2011182204.tif 000006
【図５】
2011182204.tif 000007
【図６】
2011182204.tif 000008
【図７】
2011182204.tif 000009
【図８】
2011182204.tif 000010
【図９】
2011182204.tif 000011